(57)【要約】【課題】本考案は、下半身全体をわずかなエネルギーで暖めることができるという従来のコタツのメリットを活かすとともに、物書き等の仕事で使用する書斎机としても利用でき、かつ、暖房器使用時における暖気溜まりを防止し低温火傷にも配慮した暖房器机を提供する。【解決手段】略矩形の天板と、前記天板の両側面部から垂設されて該天板を床面から支持する一対の側面断熱パネルと、前記天板の背面部にあって前記一対の側面断熱パネル間に架設される背面断熱パネルと、前記天板、前記一対の側面断熱パネルおよび前記背面断熱パネルとに囲繞された天板下空間内に設置される暖房器と、からなり、前記天板を背面側と２前面側に２分割し、背面側の天板を数種類の天板と交換可能な構成とした。【選択図】図１
0003121557.tif 000002
【実用新案登録請求の範囲】
【請求項１】
略矩形の天板と、
前記天板の両側面部から垂設されて該天板を床面から支持する一対の側面断熱パネルと、
前記天板の背面部にあって前記一対の側面断熱パネル間に架設される背面断熱パネルと、
前記天板、前記一対の側面断熱パネルおよび前記背面断熱パネルとに囲繞された天板下空間内に設置される暖房器と、
からなる、ことを特徴とする暖房器付き机。
【請求項２】
前記側面断熱パネルおよび前記背面断熱パネルは、外板、内板および該外板と該内板との間に挟入される断熱材とからなり、該内板は蓄熱材で構成される、ことを特徴とする請求項１に記載の暖房器付き机。
【請求項３】
前記暖房器付き机は前記天板下空間内に納置可能な床断熱パネルを具え、
前記床断熱パネルは外板、内板および該外板と該内板との間に挟入される断熱材とから構成される、ことを特徴とする請求項１または請求項２に記載の暖房器付き机。
【請求項４】
前記暖房器付き机は前記天板、前記一対の側面断熱パネルおよび前記背面断熱パネルのいずれかに貫設される通気孔と、前記天板下空間内の温度を測定する温度センサーと、前記天板下空間内に設置され該天板下空間内の空気を対流させる送風機とを具え、
前記通気孔は通気量調整機能を有し前記温度センサーの温度表示部は前記天板上に立設される、ことを特徴とする請求項１ないし請求項３のいずれかに記載の暖房器付き机。
【請求項５】
前記天板は着脱自在の背面側天板と固定された前面側天板とに２分割され、
前記背面側天板には、前記通気孔および前記温度表示部が取着される第１の背面側天板と天板のみからなる第２の背面側天板とが用意され、
第１の背面側天板と第２の背面側天板とは交換可能である、ことを特徴とする請求項４に記載の暖房器付き机。
【請求項６】
前記天板の前面側端部から上掛けが垂下されて前記暖房器付き机の前面部が覆われる、ことを特徴とする請求項１ないし請求項５のいずれかに記載の暖房器付き机。
【請求項７】
前記暖房器付き机は断熱材で囲繞された収納ボックスを具え、
前記収納ボックスを構成する開閉自在の蓋部は前記天板の一部を形成している、ことを特徴とする請求項１ないし請求項６のいずれかに記載の暖房器付き机。
【考案の詳細な説明】
【技術分野】
【０００１】
本考案は、下半身全体を暖めることのできる暖房器付きの机に関する。
【背景技術】
【０００２】
従来から使用されている暖房具にコタツがあるが、このコタツは畳に座る日本の生活習慣に適したものである。一方で、畳の上に足を折り曲げて座る動作は膝、脚、腰に負担が掛かることから、近年では、椅子に座る習慣を持つ者の方が畳に座る習慣を持つ者よりも多くなっている。このような生活習慣の変化を背景として、机に暖房器を組み込んだ考案が提案されている。
【０００３】
たとえば、実開平７−２５８４１号公報に開示された考案は、「冬場のイス掛け机使用時の足元の冷えを予防する」ことを目的としていて、「イス掛け用机の下に電熱器を設け、机の下の背面、左右側面を壁等で覆う」構成とすることにより、その目的を達成しようとしたものである。
しかしながら、実開平７−２５８４１号公報に開示された考案は、机使用時の足元の冷えを予防するとはいっても、壁等に覆われていない机の前面から隙間風が入り込んだり、電熱器で暖められた暖気が机の前面から逃げてしまい効率的に下半身全体を暖めることはできない。
【０００４】
一方で、従来から在るコタツには、下半身全体をわずかなエネルギーで暖めることができるというメリットがある。
そのため、本出願人は、従来のコタツのメリットを活かし、かつ、椅子に座る習慣に配慮した、椅子に座った状態で使用することのできるコタツと、このコタツに使用される暖房効率の高い椅子を提供することを目的とする考案を出願した。
【０００５】
この考案は、登録実用新案第３１１７９５２号公報に開示されているが、「コタツを、一対の側面板および背面板から構成される壁面と天板および底板から形成される筐体の内部に暖房器を設置し、前記の天板上に回動自在に甲板を重置し、前記の天板と甲板に上掛けの一辺を挟着させ、天板から垂れ下がった裾を側面板に固定する構成とする一方、椅子を、座板の周縁部から下方向に垂設される連続壁状の脚部からなり、かつ、前記の脚部を平板状の台上に固着し、前記の台が平板状の下敷き上を一方向にのみ移動できるように構成」することにより、前記の目的を達成したものである。
【特許文献１】実開平７−２５８４１号公報
【特許文献２】登録実用新案第３１１７９５２号公報
【考案の開示】
【考案が解決しようとする課題】
【０００６】
しかしながら、登録実用新案第３１１７９５２号公報に開示された考案は、コタツの構成を、筐体の天板上に回動自在に甲板を重置し、前記の天板と甲板に上掛けの一辺を挟着させ、天板から垂れ下がった裾を側面板に固定することとしていて、背面部を除いて従来のコタツ同様に上掛けで覆うこととしているので、コタツの上で物書き等の仕事をする場合には、上掛けの上に敷板等の硬い板を載せる必要がある。また、天板の構成を「少なくとも１つの凹部が前記背面板に平行に形成され（前記天板上に重置され該天板と略同形の）甲板の該天板に相対する面には少なくとも１つの凸部が前記背面板に平行に形成されて、前記凹部と前記凸部とが互いに嵌合」することとしているので、上掛けを使用しない冬季以外の場合であっても、甲板上に敷板等の硬い板を載せる必要がある。
【０００７】
さらに、登録実用新案第３１１７９５２号公報に開示された考案において、従来から在るコタツに使用される天板裏に固着される暖房器を使用した場合には、暖房器で暖められた暖気が天板裏に集まった暖気溜まりが生じることから来る不快感を生じ、また、椅子に座った状態で使用されるために、長い間、同じ姿勢で暖まっていると、暖房器に接近した膝、脛、腿などが低温火傷を起こす可能性もあった。
【０００８】
そこで、本考案は、下半身全体をわずかなエネルギーで暖めることができるという従来のコタツのメリットを活かすとともに、物書き等の仕事で使用する書斎机としても利用でき、かつ、暖房器使用時における暖気溜まりを防止し低温火傷にも配慮した暖房器机を提供することを目的とする。
【課題を解決するための手段】
【０００９】
上記課題を解決するために、請求項１に係る暖房器付き机は、略矩形の天板と、前記天板の両側面部から垂設されて該天板を床面から支持する一対の側面断熱パネルと、前記天板の背面部にあって前記一対の側面断熱パネル間に架設される背面断熱パネルと、前記天板、前記一対の側面断熱パネルおよび前記背面断熱パネルとに囲繞された天板下空間内に設置される暖房器と、からなる、ことを特徴としている。
また、請求項２に係る暖房器付き机は、請求項１に記載の暖房器付き机であって、前記側面断熱パネルおよび前記背面断熱パネルは、外板、内板および該外板と該内板との間に挟入される断熱材とからなり、該内板は蓄熱材で構成される、ことを特徴としている。
そして、請求項３に係る暖房器付き机は、請求項１または請求項２に記載の暖房器付き机であって、前記暖房器付き机は前記天板下空間内に納置可能な床断熱パネルを具え、前記床断熱パネルは外板、内板および該外板と該内板との間に挟入される断熱材とから構成される、ことを特徴としている。
さらに、請求項４に係る暖房器付き机は、請求項１ないし請求項３のいずれかに記載の暖房器付き机であって、前記暖房器付き机は前記天板、前記一対の側面断熱パネルおよび前記背面断熱パネルのいずれかに貫設される通気孔と、前記天板下空間内の温度を測定する温度センサーと、前記天板下空間内に設置され該天板下空間内の空気を対流させる送風機とを具え、前記通気孔は通気量調整機能を有し前記温度センサーの温度表示部は前記天板上に立設される、ことを特徴としている。
また、請求項５に係る暖房器付き机は、請求項４に記載の暖房器付き机であって、前記天板は着脱自在の背面側天板と固定された前面側天板とに２分割され、前記背面側天板には、前記暖房器、前記通気孔および前記温度表示部が取着される第１の背面側天板と天板のみからなる第２の背面側天板とが用意され、第１の背面側天板と第２の背面側天板とは交換可能である、ことを特徴としている。
そして、請求項６に係る暖房器付き机は、請求項１ないし請求項５のいずれかに記載の暖房器付き机であって、前記天板の前面側端部から上掛けが垂下されて前記暖房器付き机の前面部が覆われる、ことを特徴としている。
さらに、請求項７に係る暖房器付き机は、請求項１ないし請求項６のいずれかに記載の暖房器付き机であって、前記暖房器付き机は断熱材で囲繞された収納ボックスを具え、前記収納ボックスを構成する開閉自在の蓋部は前記天板の一部を形成している、ことを特徴としている。
【考案の効果】
【００１０】
請求項１に係る考案では、暖房器付き机を、略矩形の天板と、前記天板の両側面部から垂設されて該天板を床面から支持する一対の側面断熱パネルと、前記天板の背面部にあって前記一対の側面断熱パネル間に架設される背面断熱パネルと、前記天板、前記一対の側面断熱パネルおよび前記背面断熱パネルとに囲繞された天板下空間内に設置される暖房器と、からなる構成としている。このため、天板下空間は机の前面部を除いて断熱パネルで囲繞されているので、保温効果に優れ、暖房器付き机を上掛け等で覆わなくとも、下半身全体を暖めることができる。また、上掛けは不要であるので、暖房用として使用する冬季、あるいは、暖房用としては使用しない冬季以外の場合であっても、天板上に敷板等の硬い板を載せる必要がない。
なお、天板の背面部とは、使用時に椅子に対面する面側とは反対の面側をいい、机の前面部とは、使用時に椅子に対面する机の面側をいう。また、断熱パネルとは断熱性能に優れた板状物をいう。
【００１１】
また、請求項２に係る考案では、暖房器付き机に使用される側面断熱パネルおよび背面断熱パネルを、外板、内板および該外板と該内板と間に挟入される断熱材とからなる構成とし、該内板は蓄熱材で構成することとしている。ここでいう断熱材とは、たとえば、グラスウール、ガラス繊維等のような熱伝導率が低く不燃性のものをいい、蓄熱材とは、たとえば、木材、石膏ボード、木毛セメント板、炭化コルク板等のような畜熱性能が高い材料で板状に加工されたものをいう。このため、断熱パネルは、蓄熱材と断熱材の２層構造となっているので、断熱パネルに囲繞された天板下空間は、暖まりやすく冷めにくい構造となる。
【００１２】
そして、請求項３に係る考案では、暖房器付き机は、内板および外板と該内板と間に挟入される断熱材とから構成される着脱可能な床断熱パネルを具えている。このため、天板下空間は床からの冷気が遮断され、一層保温性能が高くなるとともに、暖房器に床置き式を使用した場合、暖房器と部屋の床との間に床断熱パネルが介在するので、輻射熱等による部屋の床への影響を避けることができる。
【００１３】
さらに、請求項４に係る考案では、暖房器付き机には、天板、一対の側面断熱パネルおよび背面断熱パネルのいずれかに貫設される通気孔と、天板下空間内の温度を測定する温度センサーと、天板下空間内の空気を対流させる送風機とを具えていて、前記の通気孔は通気量調整機能を有し前記の温度センサーの温度表示部は天板上に立設されている。このため、温度表示部により天板下空間内の温度を客観的に判断することができ、所定の温度に達したときに、通気孔を「開」の状態にして、天板下空間内と外部とを連通し、天板下空間内の温度を下げることができる。低温火傷は、所定温度以上で所定時間に亘り肌を温められるときに引き起こされるものであるので、温度表示部に示される温度に注目することにより、低温火傷を防止することができる。また、天板下空間内の空気を対流させる送風機の稼動により、天板下空間内の温度を均一なものとするために暖気溜まりを防止するとともに、通気孔を「開」の状態にしたときには、短時間で天板下空間内の温度を所望の温度とすることができる。
【００１４】
また、請求項５に係る考案では、天板を着脱自在の背面側天板と固定された前面側天板とに２分割し、背面側天板には、通気孔および温度表示部を取着される第１の背面側天板と天板のみからなる第２の背面側天板とが用意されていて、この第１の背面側天板と第２の背面側天板とは、相互に交換可能としている。このため、暖房器を使用しない冬季以外では、第１の背面側天板を第２の背面側に交換することにより、暖房器付き机を通常の書斎机として使用することができる。
【００１５】
さらに、請求項６に係る考案では、天板の前面側端部から上掛けが垂下されて暖房器付き机の前面部が覆われることとしている。天板下空間は暖房器付き机の前面部が開放されているが、この開放部を上掛けで覆うことにより、暖房器付き机の保温効果はより一層高くなる。また、前面部のみを覆うこととすれば、物書き等の仕事をする場合であっても、上掛けが邪魔になることはない。なお、上掛けの垂下は、たとえば、スナップ、ホック、スライドファスナーあるいは面ファスナー等の雌雄一対の係止具の一方を天板の前面側端部に固着し、上掛けの周縁には雌雄一対の係止具の他方を固着して、この雌雄一対の係止具を係着させることにより実施できる。
なお、ここにいう上掛けとは、保温性能に優れた布団や毛布等のようなシート状のものをいう。
【００１６】
また、請求項７に係る考案では、暖房器付き机には、断熱材で囲繞された収納ボックスが具えられていて、この収納ボックスの蓋は、天板の一部を形成している。このため、この収納ボックスは天板下空間内の温度や室内の温度に影響されない独立した空間が形成され、冷やされた食料品や暖められた食料品をそのままの状態で長時間収納することができるとともに、請求項６に係る考案の上掛けを使用しても、収納ボックスの蓋の開閉に邪魔になることはない。
【考案を実施するための最良の形態】
【００１７】
本考案を実施するための最良の形態に係る実施例１ないし実施例４について、図１ないし図４に基づいて説明する。ここで、図１は、実施例１に係る暖房器付き机の全体図および使用状況図、図２は実施例２に係る暖房器付き机の全体図および使用状況図、図３は実施例３に係る暖房器付き机の全体図、図４は実施例４に係る暖房器付き机の全体図、である。そして、符号１は実施例１に係る暖房器付き机、符号２は実施例２に係る暖房器付き机、符号３は実施例３に係る暖房器付き机、符号４は実施例４に係る暖房器付き机、符号１０は天板、符号１２は背面側天板、符号１２１は実施例１に係る第１の背面側天板、符号１２２は実施例３に係る第１の背面側天板、符号１２４は実施例１に係る第２の背面側天板、符号１２５は実施例４に係る第２の背面側天板、符号１２７は背面側天板嵌合片、符号１２８は挿入孔、符号１２９は貫通孔、符号１４は前面側天板、符号１６は蓋部、符号１８は収納ボックス、符号２０は背面側天板止めピン、符号３２は側面断熱パネル、符号３４は背面断熱パネル、符号３６は床断熱パネル、符号４０は天板下空間、符号４２は通気孔、符号４４は温度センサー、符号４４１は温度表示部、符号４６は暖房器、符号４８は送風機、符号５０は上掛け、符号７０は椅子、符号７２は台、符号７４はガイドレール、符号７６は下敷き、である。
【実施例１】
【００１８】
まず、実施例１に係る暖房器付き机について、図１を基に説明する。
暖房器付き机１は、主に、天板１０、一対の側面断熱パネル３２、３２、背面断熱パネル３４および床断熱パネル３６から構成されていて、天板１０は、平面視がコの字状に組み立てられた一対の側面断熱パネル３２、３２および背面断熱パネル３４上に載置されている。
【００１９】
天板１０は矩形の平板であって、背面断熱パネル３４に平行方向に背面部と前面部とに２分割されていて、背面部側は着脱自在の背面側天板１２、前面部側は固定された前面側天板１４となっている。したがって、暖房器付き机１は、前面側天板１４、一対の側面断熱パネル３２、３２および背面断熱パネル３４が相互に固着されて暖房器付き机１の形状が保持可能となっている。なお、天板１０を後述する側面断熱パネル３２や背面断熱パネル３４と同様の断熱パネルとすることができることは勿論である。
【００２０】
着脱自在の背面側天板１２には、第１の背面側天板１２１および第２の背面側天板１２４の２種類の天板が用意されている。そして、第１の背面側天板１２１には、その裏面に暖房器４６が固着され、天板下空間４０と室内と連通する通気孔４２が貫設されるとともに、温度センサー４４の温度表示部４４１が立設されているが、第２の背面側天板１２４は平板のみから構成されている。なお、通気孔４２には、図示外のレバー操作により、天板下空間４０と室内と連通する開口面積を変えることができる通気量調整機能が付いている。また、温度センサー４４は、温度表示部４４１と図示外の温度計測部から構成されていて、温度計測部は、後述する天板下空間４０内の所定の箇所に設置されている。
【００２１】
第１の背面側天板１２１および第２の背面側天板１２４の側面断熱パネル３２側の両端部近傍には、矩形の背面側天板嵌合片１２７、１２７が垂設されていて、この一対の背面側天板嵌合片１２７間の外々寸法は、一対の側面断熱パネル３２間の内々寸法と略一致し、暖房器付き机１に第１の背面側天板１２１または第２の背面側天板１２４を嵌め合わせたときには、背面側天板嵌合片１２７は側面断熱パネル３２に密接するようになっている。そして、背面側天板嵌合片１２７には、挿入孔１２８が嵌設され、側面断熱パネル３２には、この挿入孔１２８に対応する位置に貫通孔１２９が貫設されていて、暖房器付き机１に第１の背面側天板１２１または第２の背面側天板１２４を嵌め合わせたときに、背面側天板止めピン２０を貫通孔１２９に貫通させ、さらに、背面側天板止めピン２０の先端を挿入孔１２８に挿入させることにより、第１の背面側天板１２１または第２の背面側天板１２４は、暖房器付き机１に固定される。なお、挿入孔１２８内に雌ネジを螺刻し、背面側天板止めピン２０の先端部に雄ネジを螺刻して、背面側天板止めピン２０を挿入孔１２８に螺合させても良い。
以上の構成により、第１の背面側天板１２１および第２の背面側天板１２４は暖房器付き机１に対して着脱自在となっている。
【００２２】
側面断熱パネル３２および背面断熱パネル３４は、ともに矩形の平板であって、外板、断熱材および内板からなる３層構造のパネルである。
外板は、通常、机に使用される木製、合成樹脂製あるいは金属製の板で形成されるが、内板は、畜熱性能が高い材料で加工された板で形成されている。ここにいう畜熱性能が高い材料とは、熱拡散率の小さな材料で、かつ、不燃性が高い材料、たとえば、不燃処理した木材、石膏ボード、木毛セメント板、炭化コルク板のような材料をいう。
また、本考案で使用される断熱材は、熱伝導率が低い材料であって、かつ、不燃性が高い材料、たとえば、グラスウール、ガラス繊維のような材料が適している。
【００２３】
床断熱パネル３６は、外板、内板および外板と内板と間に挟入される断熱材とから構成されるが、外板および内板については、不燃性の材料であれば、特に限定されないが、内板については、足を直接載せることもあるため、不燃処理した木材が適している。また、断熱材については、側面断熱パネル３２および背面断熱パネル３４の場合と同様である。
そして、床断熱パネル３６は、後述する天板下空間４０内に納置可能な大きさであって、暖房器付き机１とは別体としても良く、あるいは、一対の側面断熱パネル３２、３２の根元に固着して暖房器付き机１と一体としても良い。一対の側面断熱パネル３２、３２に固着した場合は、前面側天板１４、一対の側面断熱パネル３２、３２および背面断熱パネル３４が相互に固着されて形状保持可能となっている暖房器付き机１の剛性は高くなる。
【００２４】
天板下空間４０は、天板１０、一対の側面断熱パネル３２、３２および背面断熱パネル３４に囲繞されることにより形成される。そして、天板下空間４０内には、暖房器４６および送風機４８が設置されている。
【００２５】
実施例において、暖房器４６は、第１の背面側天板１２１の裏面に固着されていて、テーブル式コタツ用のヒーターユニットが使用されている。しかし、これに限定されるものではなく、たとえば、天板下空間４０内に棚を設けてこの棚の下にこのヒーターユニットを設置しても良く、さらに、このヒーターユニットに代えて、掘りコタツ用のヒーターユニット、パネルヒータなどのような他の暖房器を使用することもできる。また、たとえば、掘りコタツ用のヒーターユニットとした場合には、床断熱パネル３６上に設置しても良いことは勿論である。
そして、実施例において、送風機４８は、側面断熱パネル３２に固着されているが、第１の背面側天板１２１の裏面、第２の背面側天板１２４の裏面あるいは床断熱パネル３６上に設置しても良いことは勿論である。
【００２６】
椅子７０は、本考案に係るものではなく、登録実用新案第３１１７９５２号に係る考案であるが、本考案と併用することにより、本考案の効果をより一層引き立たせることになるので、概説する。
椅子７０の脚部は、座板の周縁部から下方向に垂設された連続する壁状となっていて、平板状の台７２上に固着されて、台７２の下面に固着される図示外のキャスターにより、平板状の下敷き７６上をガイドレール７４に導かれて、暖房器付き机１方向に移動自在となるように構成されている。このように椅子７０の脚部を壁状とすることにより、天板下空間４０内の暖気が椅子７０の脚部から室内に流れ出すことがなく、本考案の保温効果はさらに高まることになる。
【００２７】
つぎに、暖房器付き机１の使用例について説明する。
使用者はまず、暖房器４６のスイッチをＯＮにして、暖房を入れ、椅子７０に腰掛けて椅子７０を暖房器付き机１方向にスライドさせる。
天板下空間４０は、時間の経過とともに、天板下空間４０内の温度は上昇するが、この温度は、温度センサー４４の温度計測部で計測されて、第１の背面側天板１２１上に立設された温度表示部４４１に表示される。
【００２８】
温度表示部４４１は、４０℃以上の目盛りを目立つように、たとえば、赤色で表示している。低温火傷は、比較的低い温度（４０〜６０℃）で引き起こされるとされているので、温度表示部４４１の温度表示が４０℃を超えた場合や、使用者が天板下空間４０内の温度を下げたいと感じた場合には、使用者は、通気孔４２を機能させて、天板下空間４０内の温度を下げることにより、低温火傷を未然に防ぐことができる。また、必要に応じて、送風機４８のスイッチをＯＮにして、送風機４８を稼動させ、天板下空間４０内の空気を対流させて、天板下空間４０内の温度を均一にすることにより、暖気溜まりが発生することを防止することができる。
【００２９】
また、冬季以外で暖房器を使用しない場合には、第１の背面側天板１２１を第２の背面側天板１２４に交換する。第２の背面側天板１２４により、天板１０の表面は、突起物も穿設物もないため、暖房器付き机１を通常の書斎机と同様の感覚で使用することができるので、冬季以外であっても房器付き机１が無用の長物となることはなく、１年中有効に家具として使用することができる。
【実施例２】
【００３０】
つぎに、実施例２に係る暖房器付き机について、図２を基に説明する。
暖房器付き机２の構成は、暖房器付き机１と同一の構成であり、異なる点は、上掛け５０を使用することに在る。そのため、ここでは、暖房器付き机２の使用方法を中心に説明する。
【００３１】
天板下空間４０は、暖房器付き机２の前面部が開放されているため、この開放部から室内の空気が天板下空間４０内に流れ込んで、天板下空間４０内の温度を下げる場合もある。このような場合には、天板下空間４０内の保温効果を高めるため、図２に示すように上掛け５０で暖房器付き机１を覆うことができる。
すなわち、前面側天板１４の前面側下面、および一対の側面断熱パネル３２、３２の前面側内面には、辺縁に沿って図示外の雌型面ファスナーが固着されていて、この雌型面ファスナーに上掛け５０の辺縁に沿って縫着される図示外の雄型面ファスナーを係着させることにより、上掛け５０は暖房器付き机２に着脱自在に係着されている。このように上掛け５０を暖房器付き机１の前面部のみを覆うようにすることにより、天板１０上で物書き等の仕事をする場合であっても、上掛け５０が邪魔になることはない。なお、前述したように、面ファスナーに代えて、スナップ、ホックあるいはスライドファスナーであっても良いことは勿論である。
【実施例３】
【００３２】
つぎに、実施例３に係る暖房器付き机について、主に、図３を基に説明する。
暖房器付き机３は、暖房器付き机１と略同様の構成であり、異なる点は、第１の背面側天板１２２に在るので、主に、第１の背面側天板１２２を中心に説明する。
【００３３】
第１の背面側天板１２２は、第１の背面側天板１２１と同様に、天板１０を背面断熱パネル３４に平行方向に背面部と前面部とに２分割された背面側の天板であり、通気孔４２が貫設されるとともに、温度センサー４４の温度表示部４４１が立設されていて、これら通気孔４２および温度表示部４４１は、暖房器付き机２の背面部に向かって一方の側（図２では左側）に設置されている。
【００３４】
そして、第１の背面側天板１２２の他方の側（図２では右側）は、開閉自在の蓋部１６となっていて、蓋部１６の下部は、収納ボックス１８が形成されている。この収納ボックス１８内は、断熱材により囲繞された空間となっていて、天板下空間４０とは独立した空間となっている。
【００３５】
したがって、収納ボックス１８は天板下空間４０内の温度や室内の温度に影響されないため、冷やされあるいは暖められた飲料をそのままの状態で長時間収納することができ、また、蓋をすれば天板として使用することができるので、１年中有効に暖房器付き机２を使用することができる。
なお、第１の背面側天板１２２は、収納ボックス１８を含めて着脱自在としても良く、あるいは、通気孔４２および温度表示部４４１を配置した部分のみを着脱自在としても良い。
【実施例４】
【００３６】
つぎに、実施例４に係る暖房器付き机について、主に、図４を基に説明するが、暖房器付き机４は、暖房器付き机１ないし暖房器付き机３と略同様の構成であり、異なる点は、第２の背面側天板１２５に在るので、主に、第２の背面側天板１２５を中心に説明する。
【００３７】
第２の背面側天板１２５は、第２の背面側天板１２４と同様に、天板１０を背面断熱パネル３４に平行方向に背面部と前面部とに２分割された背面側の天板であるが、第２の背面側天板１２４は、第２の背面側天板１２４が平板のみから構成されているのに対し、天板部分の全部または一部がメッシュとなっている。
このため、天板下空間４０内の通気性が良くなり、たとえば、夏季に暖房器付き机３使用する場合に、天板下空間４０内に設置された送風機４８を稼動させれば、使用者の足元を風が通り抜けるので、夏の暑さの中でも気持ちよく暖房器付き机３を使用することができる。
【図面の簡単な説明】
【００３８】
【図１】図１は、実施例１に係る暖房器付き机の全体図および使用状況図である。
【図２】図２は、実施例２に係る暖房器付き机の全体図および使用状況図である。
【図３】図３は、実施例３に係る暖房器付き机の全体図である。
【図４】図４は、実施例４に係る暖房器付き机の全体図である。
【符号の説明】
【００３９】
１  実施例１に係る暖房器付き机
２  実施例２に係る暖房器付き机
３  実施例３に係る暖房器付き机
４  実施例４に係る暖房器付き机
１０  天板
１２  背面側天板
１４  前面側天板
１６  蓋部
１８  収納ボックス
３２  側面断熱パネル
３４  背面断熱パネル
３６  床断熱パネル
４０  天板下空間
４２  通気孔
４４  温度センサー
４６  暖房器
４８  送風機
【図１】
0003121557.tif 000003
【図２】
0003121557.tif 000004
【図３】
0003121557.tif 000005
【図４】
0003121557.tif 000006